(57)【要約】【課題】繊維コードを補強のために使用するが、大きなコストアップを招くことがなく、また、曲げ剛性もそれほど大きくなることがないコンベヤベルト、すなわち、柔らかくかつ強度が大きいという、採石用、土砂運搬用などの重量物運搬に好適に用いられるコンベヤベルトを提供すること。【解決手段】合成繊維からなり、下記（ａ）式で表されるタテ糸コードの配列密度Ｄが５０〜９５％であるスダレ織構造の補強コード層を、全幅にわたり少なくとも１プライ以上で、コンベヤベルト長手方向と該コード配列方向とが平行になるように配置して用いてなるコンベヤベルト。  ここで、    タテ糸コードの配列密度Ｄ（％）＝｛（ｎ×ａ）／ｂ｝×１００……式（ａ）      ａ：タテ糸コードの直径（ｍｍ）      ｂ：スダレ織構造の補強コード層の全幅（ｍｍ）      ｎ：スダレ織構造の補強コード層の全幅に含まれるタテ糸コード本数（本）【選択図】図１
2006273487.tif 000002
【特許請求の範囲】
【請求項１】
合成繊維からなり、下記（ａ）式で表されるタテ糸コードの配列密度Ｄが５０〜９５％であるスダレ織構造の補強コード層を、全幅にわたり少なくとも１プライ以上で、コンベヤベルト長手方向と該コード配列方向とが平行になるように配置して用いられてなることを特徴とするコンベヤベルト。
ここで、タテ糸コードの配列密度Ｄ（％）＝｛（ｎ×ａ）／ｂ｝×１００……式（ａ）
ａ：タテ糸コードの直径（ｍｍ）
ｂ：スダレ織構造の補強コード層の全幅（ｍｍ）
ｎ：スダレ織構造の補強コード層の全幅に含まれるタテ糸コード本数（本）
【請求項２】
タテ糸コードの配列密度Ｄが７０〜９０％であることを特徴とする請求項１記載のコンベヤベルト。
【請求項３】
少なくとも、表カバーゴム層と請求項１に記載のスダレ織構造の補強コード層との間に、さらに平織物またはスダレ織構造の繊維補強層を設けてなることを特徴とする請求項１または２記載のコンベヤベルト。
【請求項４】
表カバーゴム層と請求項１に記載のスダレ織構造の補強コード層との間に設けられる平織物またはスダレ織構造の繊維補強層が、そのタテ糸方向がコンベヤベルト幅方向と±１５°以内の角度を呈して設けられていることを特徴とする請求項１、２または３記載のコンベヤベルト。
【請求項５】
さらに、両耳端側から中央側に向けてそれぞれ全幅の２５％幅以内にスダレ織構造の補強コード層を配してなることを特徴とする請求項１、２、３または４記載のコンベヤベルト。
【請求項６】
さらに、ヨコ方向中央部のみ全幅の４０％幅以内にスダレ織構造の補強コード層を配してなることを特徴とする請求項１、２、３または４記載のコンベヤベルト。
【発明の詳細な説明】
【技術分野】
【０００１】
本発明は、合成繊維コードで補強されたコンベヤベルトに関する。
【背景技術】
【０００２】
従来、コンベヤベルトとして、ゴム層を繊維糸で補強して構成したものが知られているが、補強繊維糸として用いられてきたものの代表的な構造例は、帆布構造のものであり、芯体補強として平織布をはじめとして種々の織物が利用されて製造されていた。
【０００３】
しかし、織物のために長さ方向強度を高くするためには、構成糸・コードの撚り線径を大きくする必要があり、その結果、織物の厚さが厚くなってしまい、それがコンベヤベルトの曲げ剛性が大きくなることを招き、結果として該コンベヤベルトの必要駆動力が大きくなり不都合を招いていた。
【０００４】
特に、駆動力の削減のためにベルトの裏面にコーティングをすると、さらに剛性がアップすることによって今度はスリップ発生という問題があった。
【０００５】
従来、コンベヤベルトの補強のために帆布のような繊維織布やスダレ織物を使用することが種々提案されているが（特許文献１−５）、コンベヤベルト全体としての曲げ剛性が大きすぎて駆動力が増大したり、繊維コード使用によるコストアップなどの問題があった。
【特許文献１】特開２０００−３４４３２０号公報
【特許文献２】特開平１１−３４９１１９号公報
【特許文献３】特開平１１−２２７９１９号公報
【特許文献４】特開平１０−３１０２１１号公報
【特許文献５】実開平５−６４１１２号公報
【発明の開示】
【発明が解決しようとする課題】
【０００６】
本発明の目的は、上述したような点に鑑み、繊維コードを補強のために使用するが、大きなコストアップを招くことがなく、また、曲げ剛性もそれほど大きくなることがないコンベヤベルト、すなわち、柔らかくかつ強度が大きいという、採石用、土砂運搬用などの重量物運搬に好適に用いられるコンベヤベルトを提供することにある。
【課題を解決するための手段】
【０００７】
上述した目的を達成する本発明のコンベヤベルトは、以下の(1) の構成からなる。
（１）合成繊維からなり、下記（ａ）式で表されるタテ糸コードの配列密度Ｄが５０〜９５％であるスダレ織構造の補強コード層を、全幅にわたり少なくとも１プライ以上で、コンベヤベルト長手方向と該コード配列方向とが平行になるように配置して用いてなることを特徴とするコンベヤベルト。
【０００８】
ここで、
タテ糸コードの配列密度Ｄ（％）＝｛（ｎ×ａ）／ｂ｝×１００……式（ａ）
ａ：タテ糸コードの直径（ｍｍ）
ｂ：スダレ織構造の補強コード層の全幅（ｍｍ）
ｎ：スダレ織構造の補強コード層の全幅に含まれるタテ糸コード本数（本）
【０００９】
また、かかる本発明のコンベヤベルトにおいて、好ましくは、以下の(2) 〜(6) の構成からなる。
（２）タテ糸コードの配列密度Ｄが７０〜９０％であることを特徴とする上記(1) 記載のコンベヤベルト。
（３）少なくとも、表カバーゴム層と上記(1) に記載のスダレ織構造の補強コード層との間に、さらに平織物またはスダレ織構造の繊維補強層を設けてなることを特徴とする上記(1) または(2) 記載のコンベヤベルト。
（４）表カバーゴム層と請求項１に記載のスダレ織構造の補強コード層との間に設けられる平織物またはスダレ織構造の繊維補強層が、そのタテ糸方向がコンベヤベルト幅方向と±１５°以内の角度を呈して設けられていることを特徴とする上記(1) 、(2) または(3) 記載のコンベヤベルト。
（５）さらに、両耳端側から中央側に向けてそれぞれ全幅の２５％幅以内にスダレ織構造の補強コード層を配してなることを特徴とする上記(1) 、(2) 、(3) または(4) 記載のコンベヤベルト。
（６）さらに、ヨコ方向中央部のみ全幅の４０％幅以内にスダレ織構造の補強コード層を配してなることを特徴とする上記(1) 、(2) 、(3) または(4) 記載のコンベヤベルト。
【発明の効果】
【００１０】
本発明によれば、繊維コードを補強のために使用しているものの、大きなコストアップを招くことがなく、また、曲げ剛性もそれほど大きくなることがなく、柔らかくかつ強度が大きく、採石用・土砂運搬用などの重量物運搬に好適に用いられるコンベヤベルトを提供することができたものである。
【発明を実施するための最良の形態】
【００１１】
以下、更に詳しく本発明のコンベヤベルトについて、説明する。
【００１２】
本発明のコンベヤベルトは、合成繊維からなり、下記（ａ）式で表されるタテ糸コードの配列密度Ｄが５０〜９５％であるスダレ織構造の補強コード層を、全幅にわたり少なくとも１プライ以上で、コンベヤベルト長手方向と該コード配列方向とが平行になるように配置して用いられてなるものである。
【００１３】
ここで、タテ糸コードの配列密度Ｄ（％）＝｛（ｎ×ａ）／ｂ｝×１００……式（ａ）
ａ：タテ糸コードの直径（ｍｍ）
ｂ：スダレ織構造の補強コード層の全幅（ｍｍ）
ｎ：スダレ織構造の補強コード層の全幅に含まれるタテ糸コード本数（本）
【００１４】
図１は、本発明のコンベヤベルトの構造例を説明するための概略モデル説明図であり、本発明のコンベヤベルト１は、表カバーゴム層２、裏カバーゴム層３を有し、該表カバーゴム層２と裏カバーゴム層３の間において、上記（ａ）式で表されるタテ糸コードの配列密度Ｄが５０〜９５％であるスダレ織構造の補強コード層４を有してなるものである。
【００１５】
図２は上記（ａ）式の説明をするためのスダレ織構造の補強コード層４の斜視図であり、図示した５がタテ糸コード、ａがタテ糸コード５の直径（ｍｍ）、ｂがスダレ織構造の補強コード層の全幅（ｍｍ）、ｎがスダレ織構造の補強コード層４の全幅ｂに含まれるタテ糸コード本数（本）である。
【００１６】
本発明において、「スダレ織構造」とは、スダレのように、織糸成分構造として、タテ糸が全体中のほとんどを占めていて、ヨコ糸がほとんど存在していない織物構造をいい、具体的には、タテ糸に対し、強度で１％以下、配列密度で０．５％以下のヨコ糸を織り合せた、ヨコ糸がほとんど存在しない織り構造をいうものである。
【００１７】
上述したタテ糸コードの配列密度Ｄは、好ましくは７０〜９０％である。
【００１８】
本発明において、タテ糸コード５は合成繊維からなることが重要であり、中でもポリアミド系繊維糸、ポリエステル系繊維糸あるいはアラミド繊維糸からなる強力１００〜１０００Ｎ／本で、太さ０．５〜２ｍｍなどのタテ糸コードを使用するのが好ましいものである。より好ましくは、強力２００〜５００Ｎ／本で、太さ０．８〜１．６ｍｍである。
【００１９】
本発明のコンベヤベルトにおいては、スダレ織構造の補強コード層において隣接するコードが適度な隙間を有していて、表カバーゴム層２のゴムと裏カバーゴム層３のゴムがコード間の隙間を通じて上下につながっている状態を構成し、相互にバランスの良い曲げ剛性と柔軟さ、良好な強度をかもし出すものである。
【００２０】
スダレ織構造の補強コード層は、コンベヤベルトの全幅に配置することが該コンベヤベルトの全幅において本発明の所期の効果を得る上で肝要なものである。また、プライ数は少なくとも１層であれば効果が得られる。コードの太さなどにも応じて変わる点もあるが、あまりにプライ数を多くすると柔軟性が失われてくる方向や製造コスト面などでも不利な点が出てくるので、１層（１プライ）〜３層（３プライ）程度とするのが実際的である。
【００２１】
本発明のコンベヤベルトにおいて、少なくとも、表カバーゴム層と上述した（ａ）式を満足するスダレ織構造の補強コード層との間に、さらに平織物またはスダレ織構造の繊維補強層を設けることによって主としてヨコ方向についてさらに補強してなるものは、コンベヤベルトタテ方向（コンベヤベルト長手方向）、コンベヤベルトヨコ方向（コンベヤベルト幅方向）においてバランス良く強度の大きいものとなり、好ましいものである。
【００２２】
さらに、より好ましくは、表カバーゴム層と上述した（ａ）式を満足するスダレ織構造の補強コード層との間、および裏カバーゴム層と上述した（ａ）式を満足するスダレ織構造の補強コード層との間に、すなわち、補強コード層を挟んだ上下面のそれぞれに該平織物またはスダレ織構造の繊維補強層を設けるのがバランスの点でよい。
【００２３】
そのようなヨコ方向に補強するための平織物またはスダレ織構造の繊維補強層６は、そのタテ糸方向が、図３にモデルを示したように、コンベヤベルト幅方向と±１５°以内の角度を呈して設けられることが、ヨコ方向の補強を効果的に実行することができるので好ましい。
【００２４】
また、好ましくは、図４に示したように、両耳端側から中央側に向けてそれぞれ全幅の２５％幅以内の箇所にスダレ織構造の補強コード層７を配して、主としてタテ方向についてさらに補強してなることが好ましい。この構造のコンベヤベルトは、端部が補強されていることにより、端部での亀裂発生、破損が良好に防止できて、両耳端部付近の強度が大きいことから、特に、ガイドローラーピッチを大きくできる等のメリットがある。
【００２５】
また、好ましくは、図５に示したように、ヨコ方向中央部のみ全幅の４０％幅以内にスダレ織構造の補強コード層７を配して、主としてタテ方向についてさらに補強してなることが好ましい。この構造のコンベヤベルトは、中央部付近の強度が大きく、中央部補強による全体としての耐荷重性が良好に向上したものとなり、特に、運搬物の衝撃が大きいベルトコンベヤラインに好適であり、キャリアーローラーピッチを大きくできる等のメリットがある。
【００２６】
本発明のコンベヤベルトは、例えば、上下１層ずつの２層の未加硫カバーゴム層間に、接着ゴムをコートしたスダレ織構造の補強コード層を必要層数（枚数）介在させて加圧加熱して加硫接着一体化するなどの方法で製造することができる。
【００２７】
なお、カバーゴムのゴム材質などについては特に制限はされず、用途に応じてＮＲ、ＢＲ、ＳＢＲ、ＮＢＲ、ＥＰＲ等のゴム、あるいはこれらのブレンドゴムを用いることができる。また、本発明において、スダレ織構造の補強コード層は、表カバーゴム層、裏カバーゴム層、補強コード層を互いに接着させるために接着液処理を行うことが好ましい。
【００２８】
本発明のコンベヤベルトは、補強層の厚さが一般に小さくなり、曲げ剛性が適度に小さくなることから、駆動エネルギーが少なくて済むものである。
【００２９】
また、駆動時のベルトの伸びや変形が小さくなり、調整作業が簡素化できるものである。
【図面の簡単な説明】
【００３０】
【図１】図１は、本発明のコンベヤベルトの構造例を説明するための概略モデル図である。
【図２】図２は、上記（ａ）式の説明をするためのスダレ織構造の補強コード層４の斜視図である。
【図３】図３は、ヨコ方向に補強するための平織物またはスダレ織構造の繊維補強層を追加的に設ける場合を説明する概略モデル図である。
【図４】図４は、両耳端側から中央側に向けてそれぞれ全幅の２５％幅以内の箇所にスダレ織構造の補強コード層を配して、主としてタテ方向についてさらに補強してなる場合を説明する概略モデル図である。
【図５】図５は、ヨコ方向中央部のみ全幅の４０％幅以内にスダレ織構造の補強コード層を配して、主としてタテ方向についてさらに補強してなる場合を説明する概略モデル図である。
【符号の説明】
【００３１】
１：コンベヤベルト
２：表カバーゴム層
３：裏カバーゴム層
４：スダレ織構造の補強コード層
５：タテ糸コード
６：平織物またはスダレ織構造の繊維補強層
７：スダレ織構造の補強コード層
ａ：タテ糸コードの直径（ｍｍ）
ｂ：スダレ織構造の補強コード層の全幅（ｍｍ）
ｎ：スダレ織構造の補強コード層の全幅に含まれるタテ糸コード本数（本）
【図１】
2006273487.tif 000003
【図２】
2006273487.tif 000004
【図３】
2006273487.tif 000005
【図４】
2006273487.tif 000006
【図５】
2006273487.tif 000007